(57)【要約】      （修正有）【課題】取り扱いが簡便かつ構造的に簡素で、空気中に浮遊する埃、微粒子を水が湿潤したフイルターで効率よく捕集出来る空気清浄器を提供する。【解決手段】埃、微粒子を含んだ空気を機内に吸い込むファン４と埃、微粒子を捕集するフイルター２と本体の下方に設けられた水を貯留する貯留部３を有し、フイルター２の下部は水の貯留部３に貯留された水に浸されていて、その貯留部３の水は液封効果の役目を果たしている。フイルター２は水で湿潤していて効率よく埃、微粒子を捕集出来る。【選択図】図１
2019002640.tif 000002
【特許請求の範囲】
【請求項１】
本体側面に空気の取り入れ部が設けられ下部に水の貯留部が設けられている筒状の本体と、前記本体の内部に設置された筒状のフイルターが装着される内筒と、前記本体の上部に設けられ前記空気の取り入れ部から取り入れた空気を前記本体の外に排出するフアンと、を有し、前記内筒に装着されている前記フイルターの下部は前記本体の前記水の貯留部に貯留された水に浸されていて、前記水の貯留部の水は液封の役目を果たしていて、前記フイルターの内側と外側の間で生ずる圧力差を液封する事で前記空気取り入れ部から取り入れた空気の全量が前記フイルターを通過することを特徴とする空気清浄機。
【請求項２】
前記フイルターへの水を供給するポンプが水の貯留部底板の下方に設けられており、前記ポンプで前記フイルター上部に前記水が供給される箇所の下側に前記水のダム部となる部材が設けられていることを特徴とする請求項１に記載の空気清浄機。
【請求項３】
前記ポンプによるフイルターへの水の供給はサイクルタイマー設定時間の発停信号でポンプを運転させて、前記フイルターに前記水を短時間で供給させることにより前記ポンプの消費電力を削減、省力化することを特徴とする請求項１又は請求項２に記載の空気清浄機。
【請求項４】
前記本体の外側に給水容器を設置し、前記給水容器のノズル下方に液面調整用の緩衝器を設け、前記本体の水の貯留部に前記水を自動的に供給することを特徴とする請求項１〜請求項３のいずれかに記載の空気清浄機。
【請求項５】
前記本体の上部に設置された前記ファンにより排出される空気を一定方向に排出するトップフードと、前記トップフードの頭頂部に設けられた前記フイルターへ前記水を供給する給水容器と、前記トップフード内部に設けられた前記給水容器内の水を前記フイルターへ導く配管と、前記本体の下部に設けられた前記水の貯留部の下方に設けられ前記本体を回転させるターンテーブルと、を有し、前記フイルター内で飽和状態になった前記水は前記フイルターを経て前記本体の下部に設けられている前記水の貯留部に前記水を流下させると共に、前記トップフードから排出する前記空気の出口の方向を前記ターンテーブルで変えられることを特徴とする請求項１〜請求項４のいずれかに記載の空気清浄機
【請求項６】
前記トップフードの内面に粘着剤を塗布し、前記本体の側面に設けられた空気の取入れ部から取り入れた前記空気を前記フイルターで清浄後、より微細な未捕集の微粒子を前記トップフード内面に塗布された粘着剤に衝突させて付着させることを特徴とする請求項５に記載の空気清浄機。
【発明の詳細な説明】
【技術分野】
【０００１】
本発明は空気清浄機に関する。
【背景技術】
【０００２】
空気中の埃、微粒子を捕集する空気清浄機には乾式空気清浄機と湿式空気清浄とが知られている。例えば湿式空気清浄機としては特許文献１に記載された湿式空気清浄機が開示されている。空気清浄の手段として回転するフイルターとフイルターを取り付ける枠体は空気が通過する欠円形状の開口が有る。筐体の吸気口も欠円形状の開口が一か所有り双方の欠円形状の開口を合致させて空気を通過することにより空気清浄を行う。空気内の塵芥を捕集したフイルターは下方の水槽内を通ることによって洗浄される構造になっている。
【先行技術文献】
【特許文献】
【０００３】
【特許文献１】特開平０９−０７５６４９号公報
【発明の概要】
【発明が解決しようとする課題】
【０００４】
しかしながら特許文献１に記載された湿式空気清浄機に於いて次に掲げる問題
点が有る。
【０００５】
フイルターに捕集された空気中の塵芥はフイルターの繊維等の表面及び内部
に付着する為、下方の水の容器内に浸しながら、フイルターを回転させて水の中を通過させるだけでは自動的にフイルターの洗浄をすることが出来ない。そのため分解、掃除を行い乾燥後に組み立てて再使用するか、或はフイルターを交換することになるが構造的にはロッドを中心とした回転構造となっていてエアーシール摺動部も含め分解、掃除、乾燥後の組立てが難しい。又水を入れる容器にフイルターで捕集した塵芥の一部が沈殿することとなるが構造が複雑のため清掃がし難い。
【０００６】
フイルター枠はロッドを中心として回転する構造になっているため外周のエアーシールを確実にしなければならい。そのためフイルター枠体を押し付けて、摺動しながら回転するようになるが、フイルター枠体の通気口が欠円形状になっていて筐体開口部分の縁でエアーシール材を損傷して剥離させる可能性がある。
【０００７】
そのためフイルターの駆動方法は前記を考慮しなくてはならず、又検知器も誤動作する可能性が有りそのため緩慢にフイルターを回転させなければならない。原動機は減速比の大きい重量の重い減速モーターか或はモーターをインバーター制御する事となり、いずれにしても価格的には高価になる。
【０００８】
フイルターは枠体及び筐体の欠円孔が合致した孔一か所より通気することとなり所定の風量を得るにはフイルターの圧損を考慮して排気フアンの静圧を高くすることが必要になる。その場合は馬力も大きくなり排気フアンの発生する回転音及びフイルターを風が通過する音も大きくなり騒音の元となる。
本発明の目的は取り扱いが簡便で構造的に簡素であり、湿潤したフイルターで埃、微粒子を効率よく捕集すると共に衛生的に使用することが出来る空気清浄機を提供することを目的とする。
【課題を解決するための手段】
【０００９】
本発明の請求項１に記載の空気清浄機は、本体側面に有る空気の取入れ部と下部に水の貯留部が設けられている筒状の本体と、本体の内部に設置された筒状のフイルターを装着する内筒と、本体空気取り入れ部から取り入れた空気を本体の外に排出するフアンが本体の上部に設けられていると共に、内筒に装着されているフイルターの下部は本体の水の貯留部に浸されていて、水の貯留部の水は液封の役目を果たしていて、フイルターの内側と外側の間で生ずる圧力差を液封する事で空気取り入れ部から取り入れた空気の全量がフイルターを通過することを特徴とするものである。
【００１０】
本発明の請求項２に記載の空気清浄機は、フイルターへ水を供給するポンプが水の貯留部底板の下方に設けて有り、ポンプでフイルター上部に水が供給された箇所の下側に水を溜める部材をフイルター枠に設けて、水を水平方向に水のダム部を生じさせフイルターに水を供給することを特徴とするものである。
【００１１】
本発明の請求項３に記載の空気清浄機は、フイルターへの水の供給はサイク
タイマー設定時間の発停信号でポンプを運転させてフイルターに水を供給することによりポンプの消費電力を削減、省力化することを特徴とするものである。
【００１２】
本発明の請求項４に記載の空気清浄機は、空気清浄機本体の外側部に給水容器を設置し給水容器のノズルの下方に液面調整用の緩衝器を設け本体の水の貯留部に水を自動的に供給することを特徴とするものである。
【００１３】
本発明の請求項５に記載の空気清浄機は本体の上部に設置されたフアンにより排出される空気を一定方向に排出するトップフードとトップフードの頭頂部に設けられたフイルターへ水を供給する給水容器と、トップフード内部に設けられた給水容器内の水をフイルターへ導く配管と、本体の下部に設けられた水の貯留部の下方に設けられた本体を回転させるターンテーブルと、を有し、フイルター内で飽和状態になった水はフイルターを経て本体の下部に設けられている水の貯留部に水を流下させると共に、トップフードから排出する空気の出口の方向をターンテーブルで変えることが出来ることを特徴とするものである。
【００１４】
本発明の請求項６に記載の空気清浄機は、フアンの上方に設けて有るトップフードの内面に粘着剤を塗布し、本体の側面に設けられた空気の取入れ部から取り入れた空気がフイルターにて清浄後、未捕集の微粒子をトップフード内面に塗布された粘着剤に衝突させて付着することを特徴とするものである。    
【発明の効果】
【００１５】
本発明の空気清浄機は取り扱いが簡便で構造的に簡素であり、フイルターはタオル地、綿さらし等の繊維生地、不織布に水を湿潤させて空気中の埃、微粒子を効率良く捕集する。フイルターのタオル地は無撚糸地タオル或いはパイル地タオルに於いては編み目及び裏表のループ状に編であるループに水が溜まるため保水効果が大きく空気を清浄する濾過表面積も大きく捕集効率も大きい。更に未捕集の微細粒子はフアンの上方に設けられたトップフード内面に塗布された粘着剤に埃、微粒子衝突させて極限まで捕集することが出来る。
【００１６】
本発明の空気清浄機に使用するフイルターの材料は通気性、保湿性、吸水性が優れている一般の汎用品であるタオル地、綿さらし等の繊維生地、不織布を縫合成形加工して使用する。又両端縦方向に面ファスナーを縫い付けることによりフリーサイズでフイルター取り付け枠に巻き付けて使用する事も出来る。フイルターの汚れの状態は本体を解体することなく外面より目視、確認出来る構造に成っている。埃、微粒子が付着し汚れたフイルターは汚れを洗い流し乾燥後再度使用が出来るため経済的にも衛生的にも優れている。
【００１７】
従来市販されている空気清浄機は構造が複雑で高価でありメンテナンスも手間が掛かり又フイルターも使い捨てで有り購入費用も高価である。
【００１８】
本発明の空気清浄機は構造的にも簡素で価格も廉価であり取り扱いも簡便である。又タオル地、綿さらし等の繊維生地、不織布等に毛管現象で水が湿潤したフイルターを埃、微粒子等で汚れた空気が通過するため効率よく空気を清浄すると共に常温に於いて塩素で消毒された水道水をフイルターから潜熱で蒸発する加湿機能を持っている。
【００１９】
本発明の空気清浄機は、フイルターに水を供給するポンプは水の貯留部底板の下側に設置して有り、上部のヘッダーに水をくみ上げてそのヘッダーに複数のノズルが付してありそのノズルはクリテイカル型の噴射ノズルになって居り、ポンプ圧力が低くても安定的に水を供給するためポンプ動力を小さくすることが出来る。
【００２０】
本発明の空気清浄機は加湿機能を有しており、フイルターに供給する水は塩素により消毒された常温の水道水を使用し、常温で水道水が蒸発する事により消毒成分の塩素が除去されずそのことにより消毒作用のある塩素の効果が持続し、細菌やカビ、雑菌等の繁殖を防ぎ加湿器病等の発症を抑えることが出来ると共に常にフイルターが水に濡れているために、水溶性の物質であるホルムアルデヒド等を吸収することが出来るためアレルギー症等を抑えることが出来る。又フイルターはフイルター枠より簡単に脱着が出来るためメンテナンスが容易であり、汚れたフイルターは洗濯後天日にて乾燥を行うことで衛生的に使うことが出来る。本発明の空気清浄機は暖房により温度が高く湿度が低い室内に於いては空気清浄機と加湿機として使用が出来ると共に、温度が高く湿度も高い夏場に於いて空気清浄と上半身へのスポット冷風扇として利用が出来る。又いろいろな形態、状況、条件に対応が出来ることで小型空気清浄機の応用範囲は家庭の居間、寝室、子供の部屋、公共の各施設、病院の待合室、医務室、ホテル旅館の客室、一般の事務所、自動車車内等広範囲に使用が出来る。本発明は卓上式小型空気清浄機から、室内の空気を循環させて空気を清浄、加湿する中型の循環型空気清浄機、又大型化にすることにより工場から出る粉塵、埃、微粒子を含んだ高温、多湿のガスを凝縮、冷却、洗浄すると共にフイルターに付着した残滓を洗い落とすガス洗浄機として使用出来る。       
【図面の簡単な説明】
【００２１】
【図１】空気清浄機の模式図其の１
【図２】空気清浄機の模式図其の２で（A）は左側面図で、（B）は正面図を示
【図３】空気清浄機の模式図其の３で（A）フイルター取り付け枠部分図（B）は                全体図を示す
【図４】上記模式図の空気取り入れ口図
【図５】空気清浄機模式図其の４、給水容器横置き付設図
【図６】上記給水用緩衝器説明図
【図７】空気清浄機模式図其の５、給水容器上置き付設図
【図８】上記給水容器用弁図
【図９】空気清浄機模式図其の５、ガス洗浄機模式図
【図１０】空気清浄実験機組立図其の１
【図１１】空気清浄実験機組立図其の２
【図１２】卓上式空気清浄機の模式図で（A）は全体図を示し（B）は部分図を示す
【図１３】上記給水容器模式図
【図１４】空気清浄実証機使用前フイルター
【図１５】空気清浄機実証機外観
【図１６】空気清浄実証機使用後フイルター
【図１７】空気清浄実証機サンプル水採取容器
【発明を実施するための形態】
【００２２】
本発明の実施形態に係る空気清浄機は多種な形態、形状に対応が出来ると共に小型の空気清浄機から中型、大型の空気清浄機、ガス洗浄機として応用来る。
【００２３】
図１に於いて本発明の実施形態に係る空気清浄機は筒状の本体１と本体の内部に設置された筒状のフイルター２を取り付ける枠７と、本体１の下部に設けられた水の貯留部３を有し、貯留部の底板の下方にはポンプ８が設置されている。側面には空気AIの取入れ部が設けられていて、取り入れられた空気AIはフイルター２を経て本体１の外に空気AOを排出するフアン４が本体１の上部に設けられている。フイルター２への水Wの供給は水の貯留部３からポンプ８で水を吸入し吐出側につながっている主配管２５を経てヘッダー６に付している噴射ノズル５で水Wをフイルター２に供給する。
【００２４】
図２に於いて本発明の実施形態に係る空気清浄機は竪型直方体の本体１と本体の内部に設置された平板状のフイルター２を取り付け枠７と一体に組み立てて有り水の貯留部３に下端が浸されている。本体正面には空気AIを吸入する空気取り入れ部が有り取り入られた空気AIはフイルター２を経て本体の外に空気AO排出するフアン４が本体正面に設けられている。フイルター２への水の供給は水の貯留部からポンプ８で水を吸入し吐出側につながっている主配管２５を経てヘッダーに水を送りフイルター２に水を供給する。
【００２５】
図３、図４に於いて本発明の実施形態に係る空気清浄機はフイルター取り付け枠７にフイルター２に挿入されていて水の貯留部３に下端が浸されている。入空気Aiを吸入する箇所はポンプ収納筐１３と行灯木枠１０との空間から吸気される。入空気AIは飾り和紙１１とフイルター２の隙間を通りフイルター２通過して清浄された出空気AOはフアン４にて排気される。フイルター２により清浄された空気を吸気することでフアン４の羽根の汚れを防ぐ。水Ｗは貯留部３よりポンプ８でヘッダーに送られノズル５にてフイルター２に供給される。
【００２６】
図１、図２、図３、図５、図７、図９に於いて本発明の実施形態に係る空気清浄機はノズル５で供給された水がフイルター２に当たる個所の下方に部材１４を設けて溜水１５を作り水平方向に浸透させて、フイルター２の全面に水を満たし編み目に水膜を作ると共に繊維に浸透させる。
【００２７】
図３、図５に於いて本発明の実施形態に係る空気清浄機はポンプ収納筐１３に設置されている照明電灯１２は飾り和紙１１を照らして絵柄も鑑賞できる。
【００２８】
図５、図６に於いて本発明の実施形態に係る空気清浄機は横設置型補給水タンクから貯留槽９へ水を供給する給水機構を示すものである。図６水の出口ノズル１９はパイプ状で先端はデフューザーの形状なっていて、微量の水を安定的に流すスタビライザー２０をも有していると共に水の表面張力を破るため先端が斜めの形状になっている。緩衝器１８は水面２４が下がると面積が減じる形になっていて緩衝器１８と貯留槽９は連通管２１で繋がっている貯留槽９内の水が気化により水面２４が下がると緩衝器１８の水面２４も下がる。補給水タンク１７の水の出口ノズル１９には水面２４の面積が受ける圧力と同じ高さに空気取り入れ口２２が開けてあり、緩衝器１８の水面２４が下がると水面面積が減じて水中圧２３の圧力が水面２４の圧力より大きくなり緩衝器１８に水が排出する。水が排出すると空気孔２２から空気がノズル１９内へ入り水の排出容量だけ補給水タンク１７に空気が入り水の排出が止まる構造になっている。
【００２９】
図７、図８に於いて本発明の実施形態に係る空気清浄機はフイルター取り付け枠７とフイルター２は水の貯留部に下端が浸されている。側板１に入空気AIを吸入する開口が有り入空気AIはフイルター２を通過して清浄され、フアン４にて出空気AOが排気される。フイルター２の上方に補給水タンク１７設けて有り補給水タンク１７とフイルター２の間には上下を隔てる樋型隔壁３０を設けていて空気全量をフイルター２へ通過させる役目をする。樋型隔壁３０からのフイルター２への水の供給は給水部品３１で行う。
【００３０】
図９に於いて本発明の実施形態に係る空気清浄機は大型化対応の基本組立図を示す図で粉塵、埃、微粒子を含んだ高温、高湿度のガスの集塵、冷却、並びに蒸気を凝縮させるガス洗浄機として利用できる。１は側板、２はフイルター、３は水の貯留部、５はスプレーノズル、６はヘッダー、７はフイルター取り付け枠、３４は循環ポンプ、３５は排風フアン、３６は自動給水弁、３８は沈殿物排出コンベヤーである。フイルター２の材質は帆布を使用することも可能で、それに対応する静圧のフアンを選定する。沈殿物排出コンベヤー３８はチェーンコンベヤーを使用タンク本体の底に溜まった沈殿物を排出する。液面調節計３７は気化により下がった水の貯留部の水面を検知して減少した水を補給する。
【００３１】
図１０に於いて本発明の実施形態に係る空気清浄機の実施例基本組立図である。１０１は水の貯留部、１０２はフイルター、１０３は給水部品、１０４はフアン、１０５は補給水タンク、１０６は貯留槽、Ｗは水、ＡIは入空気、ＡOは出空気である。補給水タンクより重力で水をフイルター全面に供給しフアンで空気を吸い込み空気清浄の実証実験を行えると同時に加湿機能の実証実験が行える空気清浄実験機組立図其の１である。
【００３２】
図１１は図５に於いて本発明の実施形態に係る空気清浄機の模式図其の４の実施例基本組立図である。２０１は水の貯留部、２０２はフイルター、２０３はポンプ、２０４はフアン、２０５はスプレーノズル、２０６はヘッダー、２０７は補給水タンク、２０８は緩衝器、２０９は貯留槽、２１０は連通管、２１１は吐出側配管、２１２は吸入側配管、ＡIは入空気、ＡOは出空気、Ｗは水である。実証実験に於いて手動スイッチでポンプを起動しフイルター全面に水を供給し、タイマーの設定時間でポンプを停止させる。フイルターの水分が少なくなるまでの一定の時間が経過後再度手動スイッチでポンプを起動させる。其の繰り返し運転で空気清浄の実証実験を行なえると同時に加湿機能の実証実験が行える空気清浄実験機組立図其の２で有る。
【００３３】
本発明の実施形態に係る空気清浄機に於いてフイルターに使用する材料は一般に市販されているタオル地、綿サラシ等の繊維生地、不織布等を縫合成型加工して使用する。本フイルターは廉価であり通気性、保湿性、吸水性に優れて居り、洗濯後天日干しを行い何度でも再使用が出来るので衛生的にも優れているし加工性も良い。
【００３４】
本発明の実施形態に係る空気清浄機に於いて全面に水が湿潤しているフイルターを空気が通過する時にタオル地、綿さらし等の繊維生地の圧力損失は小さく又不織布の圧力損失は繊維生地に比べ若干大きいが適時な風量を得るにはフアンの静圧を若干高くすれば良い。本発明の空気清浄機は産業用としても利用が可能で有り、例えば多量の粉塵、埃、微粒子を含んだ高温、高湿度のガスを冷却並びに蒸気の凝縮させるスクラバーとして利用が出来、フイルターは帆布を縫合成型加工して使っても良い。  
【００３５】
図１２に於いて本発明の実施形態に係る空気清浄機は空気取り入れ部３０２が設けられている筒状の本体と内部に設置された筒状のフイルター３１１を装着する内筒３０３と、本体空気取り入れ部３０２から空気AIがフイルター３１１を経て本体３０１の外に空気AOを排出するフアン３１０が内筒３０３の上部に設置されていて本体３０１の上部には空気AOを一定方向に排出するトップフード３０４が設けて有る。フイルター３１１への水Wの供給はトップフード３０４の頭頂部に給水容器４０１を設置しトップフード３０４内部に設けられた配管３０６で給水容器４０１内の水Wをフイルター３１１に供給する。フイルター３１１内で飽和状態になった水Wはフイルター３１１を経て本体３０１の下部に設けられている水の貯留部３１２に流下する。トップフード３０４より排風する空気AOの出口には流れを安定させるスタビライザー３１６が取り付けてある。水の貯留部３１２の下方にターンテーブル３１０を設けてトップフード３０４から排風する空気AOの方向をターンテーブル３１０で風の向きを変えることが出来る。又はターンテーブル３１０を設けないで使用する事も出来る。又トップフード３０４のドーム形状を平板にすることも出来る。又平板にすることにより給水容器４０１を設置するボス３０５を偏心させても良い。
【００３６】
図１２、図１３に於いて本発明の実施形態に係る空気清浄機内のフイルター３１１への水Wの給水は密封型の給水容器４０１からトップフード３０４内に設けられた配管３０６で通水孔３１３に導かれて滴下でフイルター３１１へ供給する。密閉型の給水容器４０１のキャップ４０２はねじ込み式になっている。給水ノズル４０３はパイプでその中心に水Wを滴下させる役を果たす芯金４０４が通して有り、水Wは芯金を伝わって給水ノズル４０３の先端から水が滴下する。給水ノズル４０３はパイプで半割になっていて、半割パイプは芯金の先より滴下した水Wの分量の空気が水W の表面張力に打ち勝って密封型の給水容器に空気が入る構造に成っている。多孔板、金網等の内筒３０３とフイルター３１１との間には隙間３１５が有り、内筒３０３の開口率に関わらず空気AOがフイルター３１１の全面積を通過する様になっている。フアン３１０の電源は１００V電源ケーブル及び１２Vアダプター電源ケーブル又は５VUSB電源ケーブルを使用する。電通管３０７内に電源ケーブル３０９を通してフアン３１０とDCジャックで結線する。電源と空気清浄機の間に電圧制御器を設け回転数を変化させることにより風量と静圧を変えることが出来る。
【００３７】
図１２に於いて本発明の実施形態に係る空気清浄機の空気取り入れ部３０２は開口率の大きい多孔板になっていてその孔よりフイルターの汚れの状態を外側より目視、確認が出来る構造に成っている。又使用材質は貯留部３０１、空気取り入れ部３０２、フイルター取り付け枠３０３、トップフード３０４等の接液部はステンレス鋼、アルミニウム、青銅、成形プラスチック等の材質の組み合わせが出来る。
【実施例】
【００３８】
次に本発明の実施例について説明する。図１４は実証実験を示す。フイルター５０１は実証実験前の状態で、実証機はフイルターを装着する内筒が設けて有り内筒の上部にフアンが設置されていて内筒の上方にはトップフード５０３設けられている。フイルターを装着する内筒の下部に仮設の水の貯留部５０２を設けて水を溜めて液封部を作りフアンによって発生するフイルター５０１の内側と外側の圧力差を仮設の水の貯留部の水で液封する事で空気の全量がフイルター５０１を通過し、空気を清浄、加湿し、トップフードの外部に排風する。フイルターへの水の供給はトップフードの頭頂部に給水容器を設置しトップフード内部に設けられた配管で給水容器内の水を  フイルターに供給する。フイルター内で飽和状態になった水はフイルターを経て仮設の水の貯留部に流下させる。
【００３９】
図１５は実証実験試験機外観図を示す。
【００４０】
本発明の実施形態に係る空気清浄実証機に於いて図１６は約２０日間ｚ・実証実験後のフイルター５０５に付着した埃、微粒子の汚れの状態を示す。
【００４１】
本発明の実施形態に係る空気清浄機に於いて図１７は実証実験前の澄んだ水の容器５０６であり、容器５０７内の水は実証実験後フイルター５０５に付着した埃、微粒子を洗い落して採取した水の汚れ状態を示す。容器５０７内の水は採取した粒度の大きい埃、微粒子は沈降し容器底に沈殿している。水中には沈降しない極微粒子が浮遊して居りコロイド状態になっている。
【００４２】
本発明の実施するための形態に係る空気清浄機は加湿機能が有り実験機にて加湿実証実験を行った。第１の実証実験は図１０に示す空気清浄実験機でフイルターの素材は不織布を使用した。加湿機能データーは表１に示す。
【００４３】
【表１】
2019002640.tif 000003
【００４４】
フアンの仕様は風量１時間当たり５４ＮＭ3、静圧は水柱４４Pa、１時間当たりのフアンの乾燥空気量は69.867ｋｇである。フイルターの空気の通過面積は０．１１２Ｍ2の時の実証実験データーは下記の如くになった。符号Ｗは水、１０１は水の貯留部、１０２はフイルター、１０３は給水部品、１０４はフアン、１０５は補給水タンク、１０６は貯留槽である。実験機の吸気温度2１℃、関係湿度38％の時、実験機の排気温度は１９℃、関係湿度５４％になった。1時間当たりの水の気化量は実測値０．０３８ｋｇであり所要乾燥空気量は一時間当たり２５．０６ｋｇであるため空気清浄実験機のフアンの風量は1時間当たり約２１Ｍ3になる。フアンの仕様に於いて1時間当たりの風量は５４ＮM３でありその差がフイルターを空気が通過する時の抵抗値となる。本実証実験の結果,例えば部屋の容積が約２８．５Ｍ2（８畳間）の場合２４時間当たり約１７．７回空気が空気清浄機を通過する事となる。
【００４５】
本発明の実施するための形態に係る空気清浄機は加湿機能が有り実験機にて加湿実証実験を行った。第２の実証実験は図１１に示す空気清浄実験機でフイルターの素材は編み目が密なタオル地を使用した。加湿機能データーは表２に示す。
【００４６】
【表２】
2019002640.tif 000004
【００４７】
フアンの仕様は第１の実証実験と同様、ポンプの仕様はDC１２V消費電流４００ｍA、流量は１時間当たり０．００６Ｍ3,圧力は９０ＫＰaである。フイルターの空気の通過面積は０．１１２Ｍ2の時の実証実験データーは下記の如になった。符号Wは水、２０１は水の貯留部、２０２はフイルター、２０３はポンプ、２０４はフアン、２０５はスプレーノズル、２０６はヘッダー、２０７は補給水タンク、２０８は液面調節部、２０９は貯留槽である。実験機の吸気温度１９℃、関係湿度４４％の時、実験機の排気温度は１４℃、関係湿度は８０％になった。１時間当たりの水の気化量は実測値０．０９２ｋｇであり所要乾燥空気量１時間当たり４３ｋｇとなる。故に空気清浄試実験機のフアンの風量は１時間当たり約３５．５Ｍ3になる。フアンの仕様に於いて１時間当たりの風量は５４ＮＭ3でありその差がフイルターを空気が通過する時の抵抗値となる。本実証実験の結果、例えば部屋の容積が約２８．５Ｍ3（８畳間）の場合２４時間当たり約３０回空気が空気清浄機を通過する事となる。
【００４８】
本発明の実施するための形態に係る空気清浄機は加湿機能が有り実験機にて加湿実証実験を行った。第３の実証実験は図１０に示す空気清浄実験機でフイルターの素材は編み目が密のタオル地を使用した。加湿機能データーは表３に示す。
【００４９】
【表３】
2019002640.tif 000005
【００５０】
フアンの仕様は第１の実証実験と同様、フイルターの空気通過面積は０．１１２Ｍ2の時の実証実験データーは下記の如くになった。符号Ｗは水、１０１は水の貯留部、１０２はフイルター、１０３は給水部品、１０４はフアン、１０５は補給水タンク、１０６は貯留槽である。実験機の吸気温度２２℃、関係湿度４６％の時、実験機の排気温度は１８℃、関係湿度７５％になった。１時間当たりの水の気化量は実測値０．０７５ｋｇであり所要乾燥空気量は１時間当たり３５．１ｋｇとなる。故に空気清浄実験機のフアンの風量は１時間当たり２９．５Ｍ3になる。フアンの仕様に於いて１時間当たりの風量は５４ＮＭ3でありその差がフイルターを空気が通過する時の抵抗値となる。本実証実験の結果、例えば部屋の容積が約２８．５Ｍ3(８畳間)の場合２４時間当たり約２４．８回空気が空気清浄機を通過する事となる。
【００５１】
本発明の実施するための形態に係る空気清浄機は加湿機能が有り実験機にて加湿実証実験を行った。第４の実証実験は図１０に示す空気清浄実験機でフイルター布の素材は編み目が粗いタオル地を使用した。加湿機能データーは表４に示す。
【００５２】
【表４】
2019002640.tif 000006
【００５３】
フアンの仕様は第１の実証実験と同様、フイルターの空気通過面積は０．１１２Ｍ2の時の実証実験データーは下記の如くになった。符号Ｗは水、１０１は水の貯留部、１０２はフイルター、１０３は給水部品、１０４はフアン、１０５は補給水タンク、１０６は貯留槽である。実験機の吸気温度２２℃関係湿度４７％の時、実験機の排気温度は１６℃、関係湿度は８４％になった。１時間当たりの水の気化量は実測値０．１１０ｋｇであり所要乾燥空気量は１時間当たり６１．３５ｋｇとなる。故に空気清浄実験機のフアンの風量は１時間当たり５１．８Ｍ3になる。フアンの仕様に於いて１時間当たりの風量は５４ＮＭ3でありその差がフイルターを空気が通過する時の抵抗値となる。本実証実験の結果、例えば部屋の容積が約２８．５Ｍ3（８畳間）の場合２４時間当たり約４３．６回空気が空気清浄機を通過する事となる。
【００５４】
本発明の実施するための形態に係る空気清浄機は加湿機能が有り実験機に
加湿実証実験を行った。第５の実証実験は図１０に示す空気清浄実験機でフイルターの素材は綿サラシを使用した。加湿機能データーは表５に示す。
【００５５】
【表５】
2019002640.tif 000007
【００５６】
フアンの仕様は第１の実証実験と同様、フイルターの空気通過面積は０．１１２Ｍ2の時の実証実験データーは下記の如くになった。符号Ｗは水、１０１は水の貯留部、１０２はフイルター、１０３は給水部品、１０４はフアン、１０５は給水タンク、１０６は貯留槽である。実験機の吸気温度２１℃、関係湿度５０％の時、実験機の排気温度は１８℃、関係湿度７３％になった。１時間当たりの水の気化量は実測値０．０４３ｋｇであり所要乾燥空気量は１時間当たり２５．７ｋｇとなる。故に空気清浄実験機のフアンの風量は１時間当たり２１．０Ｍ３になる。フアンの仕様に於いて１時間当たりの風量は５４ＮＭ3でありその差がフイルターを空気が通過する時の抵抗値となる。本実証実験の結果、例えば部屋の容積が約２８．５Ｍ3（８畳間）の場合２４時間当たり約２１回空気が空気清浄機を通過する事となる。
【００５７】
本発明の実施するための形態に係る空気清浄機は加湿機能が有り実験機にて
加湿実証実験を行った。第６の実証実験は図１０に示す空気清浄実験機でフイルターの素材は編み目が密のタオル地を使用した。加湿機能データーは表６に示す。
【００５８】
【表６】
2019002640.tif 000008
【００５９】
フアンの仕様は第１の実証実験と同様、フイルターの空気通過面積は０．０８８Ｍ2の時の実証実験データーは下記の如くになった。符号Ｗは水、１０１は水の貯留部、１０２はフイルター、１０３は給水部品、１０４はフアン、１０５は補給水タンク、１０６は貯留槽である。実験機の吸気温度１９℃関係湿度３７％の時、実験機の排気温度は１７℃、関係湿度は６２％になった。１時間当たりの水の気化量は実測値０．０６１ｋｇであり所要乾燥空気量は１時間当たり２６．３ｋｇとなる。故に空気清浄実験機のフアンの風量は１時間当たり２１．８Ｍ3になる。フアンの仕様に於いて１時間当たりの風量は５４ＮＭ３でありその差がフイルターを空気が通過する時の抵抗値となる。本実証実験の結果、例えば部屋の容積が約２８．５Ｍ3（８畳間）の場合２４時間当たり約１８．３回空気が空気清浄機を通過する事となる。
【００６０】
本発明の実施するための形態に係る空気清浄機は加湿効果が有り実験機にて加湿実証実験を行った。第７の実証実験は図１０に示す空気清浄実験機でフイルターの素材は編み目が粗いタオル地を使用した。加湿機能データーは表７に示す。
【００６１】
【表７】
2019002640.tif 000009
【００６２】
フアンの仕様は第１の実証実験と同様、フイルターの空気通過面積は０．０８８Ｍ2の時の実証実験データーは下記の如くになった。符号Ｗは水、１０１は水の貯留部、１０２はフイルター、１０３は給水部品、１０４はフアン、１０５は補給水タンク、１０６は貯留槽である。実験機の吸気温度２０℃、関係湿度４０％の時に実験機の排気温度は１５℃、関係湿度は７５％になった。１時間当たりの水の気化量は０．０７８ｋｇであり所要乾燥空気量は１時間当たり３６．４ｋｇとなる。故に空気清浄実験機のフアンの風量は１時間当たり３０．３Ｍ3になる。フアンの仕様に於いて１時間当たりの風量は５４Ｎｍ3でありその差がフイルターを空気が通過する時の抵抗値となる。本実証実験の結果、例えば部屋の容積が約２８．５Ｍ3(８畳間)の場合２４時間当たり約２５．５回空気が空気清浄機を通過する事となる。
【００６３】
本発明の実施するための形態に係る空気清浄機は加湿機能が有り実験機にて加湿実証実験を行った。第８の実証実験は図１０に示す空気清浄実験機でフイルターの素材は綿サラシを使用した。加湿機能データーは表８に示す。
【００６４】
【表８】
2019002640.tif 000010
【００６５】
フアンの仕様は第１の実証実験と同様、フイルターの空気通過面積は０．０８８Ｍ２の実証実験データーは下記の如くになった。符号Ｗは水、１０１は水の貯留部、１０２はフイルター、１０３は給水部品、１０４はフアン、１０５は補給水タンク、１０６は貯留槽である。実験機の吸気温度は２３℃、関係湿度は６０％の時に実験機の排気温度は２１℃、関係湿度は７７％になった。１時間当たりの水の気化量は実測値０．０３７ｋｇであり所要乾燥気量は１時間当たり２６．４ｋｇとなる。故に空気清浄実験機のフアンの風量は１時間当たり２２．５Ｍ3になる。フアンの仕様に於いて１時間当たりの風量は５４ＮＭ3でありその差がフイルターを空気が通過する時の抵抗値となる。本実証実験の結果、例えば部屋の容積が約２８．５Ｍ3(８畳間)の場合約１９回空気が空気清浄機を通過する事となる。
【符号の説明】
【００６６】
１    側板
２    フイルター
３    水の貯留部
４    フアン
５    噴射ノズル
６    ヘッダー
７    フイルター取り付け枠
８    ポンプ
９    貯留槽
１０    行灯木枠
１１    飾り和紙
１２    照明灯電灯
１３    ポンプ収納筐
１４    部材
１５    溜水
１６    給水口
１７    給水容器
１８    緩衝器
１９    出口ノズル
２０    スタビライザー
２１    連通管
２２    空気孔
２３    水柱圧
２４    水面
２５    主配管
２６    吸入側配管
２７    吐出側配管
２８    補給水タンク
２９    給水バルブ
３０    樋型隔壁
３１    給水部品
３２    隔壁クリップ
３３    エアーシール
３４    循環ポンプ
３５    排風フアン
３６    水面計
３７    液面調節計
３８    沈殿物排出コンベヤー
３９    補給水タンクカバー
１０１  水の貯留部
１０２  フイルター
１０３  給水部品
１０４  フアン
１０５  補給水タンク
１０６  貯留槽
２０１  水の貯留部
２０２  フイルター
２０３  ポンプ
２０４  フアン
２０５  スプレーノズル
２０６  ヘッダー
２０７  補給水タンク
２０８  緩衝器
２０９  貯留槽
２１０  連通管
２１１  吐出側配管
２１２  吸入側配管
２１３  主配管  
２１４  部材
２１５  溜水
３０１  貯留部
３０２  空気取り入れ部
３０３  フイルター取り付け枠
３０４  トップフード
３０５  ボス
３０６  給水配管
３０７  電通管
３０８  液面計
３０９  アダプターケーブル
３１０  フアン
３１１  フイルター
３１２  水の貯留部
３１３  通水孔
３１４  座板
３１５  隙間
３１６  スタビライザー
４０１  給水容器
４０２  キャップ
４０３  給水ノズル
４０４  芯金
５０１  実証実験前のフイルター
５０２  水の仮貯留部
５０３  実証実験機トップフード
５０４  実証実験機給水容器
５０５  実証実験後の微粒子が付着したフイルター
５０６  実証実験前の水の容器
５０７  実証実験で微粒子を採取後のコロイド状サンプル水
AI      入り空気  
AO    出空気            
W    水
【図１】
2019002640.tif 000011
【図２】
2019002640.tif 000012
【図３】
2019002640.tif 000013
【図４】
2019002640.tif 000014
【図５】
2019002640.tif 000015
【図６】
2019002640.tif 000016
【図７】
2019002640.tif 000017
【図８】
2019002640.tif 000018
【図９】
2019002640.tif 000019
【図１０】
2019002640.tif 000020
【図１１】
2019002640.tif 000021
【図１２】
2019002640.tif 000022
【図１３】
2019002640.tif 000023
【図１４】
2019002640.tif 000024
【図１５】
2019002640.tif 000025
【図１６】
2019002640.tif 000026
【図１７】
2019002640.tif 000027
【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
本体側面に空気の取り入れ部が設けられ本体下部に水の貯留部が設けられている筒状の本体と、前記本体の内部に設置された除塵用の筒状のフイルターと、前記フイルターが装着される通気孔が形成された内筒と、前記本体の上部に座板を介して設けられ前記空気の取り入れ部から取り入れた空気を前記フイルターの内側を経て前記本体の外側に排出するフアンと、を有し、前記フイルターは繊維生地、不織布の少なくともいずれか一つによって形成され、また、前記フイルターは前記内筒に着脱自在に巻き付けて装着されており、前記フイルターの下部は前記本体の前記水の貯留部に貯留された水に浸されていて、前記水の貯留部の水は前記フイルターを液封する役目を果たしていて、前記フイルターの内側と外側の間で生ずる圧力差を維持する事で前記空気取り入れ部から取り入れた空気の全量が前記フイルターを通過する空気清浄機であって、前記本体の上部に設けられ前記ファンによって前記本体内に取り入れられる前記空気を一定方向に排出するトップフードと、前記トップフードの頭頂部に設けられ前記フイルターへ前記水を滴下供給する給水容器と、前記トップフード内部に前記給水容器に連通して設けられ前記給水容器から滴下する水を前記フイルターへ導く配管と、を有し、前記配管から導かれて前記フイルター内で飽和状態になった前記給水容器からの水は、毛管現象により前記本体内の前記水の貯留部に流下することを特徴とする空気清浄機。
【手続補正２】
【補正対象書類名】明細書
【補正対象項目名】０００９
【補正方法】変更
【補正の内容】
【０００９】
本発明の請求項１に記載の空気清浄機は、本体側面に空気の取り入れ部が設けられ本体下部に水の貯留部が設けられている筒状の本体と、前記本体の内部に設置された除塵用の筒状のフイルターと、前記フイルターが装着される通気孔が形成された内筒と、前記本体の上部に座板を介して設けられ前記空気の取り入れ部から取り入れた空気を前記フイルターの内側を経て前記本体の外側に排出するフアンと、を有し、前記フイルターは繊維生地、不織布の少なくともいずれか一つによって形成され、また、前記フイルターは前記内筒に着脱自在に巻き付けて装着されており、前記フイルターの下部は前記本体の前記水の貯留部に貯留された水に浸されていて、前記水の貯留部の水は前記フイルターを液封する役目を果たしていて、前記フイルターの内側と外側の間で生ずる圧力差を維持する事で前記空気取り入れ部から取り入れた空気の全量が前記フイルターを通過する空気清浄機であって、前記本体の上部に設けられ前記ファンによって前記本体内に取り入れられる前記空気を一定方向に排出するトップフードと、前記トップフードの頭頂部に設けられ前記フイルターへ前記水を滴下供給する給水容器と、前記トップフード内部に前記給水容器に連通して設けられ前記給水容器から滴下する水を前記フイルターへ導く配管と、を有し、前記配管から導かれて前記フイルター内で飽和状態になった前記給水容器からの水は、毛管現象により前記本体内の前記水の貯留部に流下することを特徴とするものである。
【手続補正３】
【補正対象書類名】明細書
【補正対象項目名】００１０
【補正方法】変更
【補正の内容】
【００１０】
本発明の空気清浄機に使用するフイルターは、通気性、保湿性、吸水性が優れている一般の汎用品であるタオル地、綿さらし等の繊維生地、不織布が縫合成形加工して形成されている。そのために両端縦方向に面ファスナーを縫い付けることによりフリーサイズでフイルターを内筒に巻き付けて使用する事も出来る。フイルターの汚れの状態は本体を解体することなく外面より目視にて確認出来る構造に成っている。埃、微粒子が付着し汚れたフイルターは汚れを洗い流し乾燥後再度使用が出来るため経済的にも衛生的にも優れている。
【手続補正４】
【補正対象書類名】明細書
【補正対象項目名】００１１
【補正方法】変更
【補正の内容】
【００１１】
本発明の空気清浄機は、加湿機能を有しており、フイルターに滴下供給される水は塩素により消毒された常温の水道水を使用し、常温で水道水が蒸発する事により消毒成分の塩素が除去されずそのことにより消毒作用のある塩素の効果が持続し、細菌やカビ、雑菌等の繁殖を防ぎ加湿器病等の発症を抑えることが出来る。又、常にフイルターが飽和状態の水に濡れていて水溶性の物質であるホルムアルデヒド等を吸収することが出来るためアレルギー症等を抑えることが出来る。又、フイルターは内筒より簡単に脱着が出来るためメンテナンスが容易であり、汚れたフイルターは洗濯後天日にて乾燥を行うことで衛生的に使うことが出来る。本発明の空気清浄機は、暖房により温度が高く湿度が低い室内に於いては空気清浄機と加湿機として使用が出来ると共に、温度が高く湿度も高い夏場に於いて空気清浄と上半身へのスポット冷風扇として利用が出来る。又いろいろな形態、状況、条件に対応が出来ることで小型空気清浄機の応用範囲は家庭の居間、寝室、子供の部屋、公共の各施設、病院の待合室、医務室、ホテル旅館の客室、一般の事務所、自動車車内等広範囲に使用が出来る。本発明は卓上式小型空気清浄機から室内の空気を循環させて空気を清浄、加湿する中型の循環型空気清浄機に使用が出来る。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
本発明の空気清浄機は、フイルターが繊維生地、不織布の少なくともいずれか一つによって形成されていると共に給水容器から配管を介して水をフイルターに対して滴下供給するため、内筒へのフイルターの着脱等の取り扱いが簡便で構造的に簡素であり、フイルターはタオル地、綿さらし等の繊維生地、不織布に水を湿潤させて空気中の埃、微粒子を効率良く捕集すると共に繰り返し使用する事が出来る。また、フイルターをm成する繊維生地がタオル地の場合にはタオル地は無撚糸地タオル或いはパイル地タオルに於いては編み目及び裏表のループ状に編であるループに水が溜まるため保水効果が大きく空気を清浄する濾過表面積も大きく埃、微粒子の捕集効率も大きい。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
本発明の空気清浄機に対して、従来市販されている空気清浄機は構造が複雑で高価でありメンテナンスも手間が掛かり又フイルターも使い捨てで有り購入費用も高価である。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】変更
【補正の内容】
【００２１】
【図１】本発明の一実施形態を示す空気清浄機の実験機を示す組立図である。
【図２】本発明の他の実施形態を示す卓上式空気清浄機を示す模式図で（A）は全体図を示し、（B）は部分図を示す。
【図３】図２に示す卓上式空気清浄機に用いられる給水容器を示す模式図である。
【図４】図１に示す空気清浄機の実証機使用前フイルターを示す。
【図５】図１に示す空気清浄機の実証機外観を示す。
【図６】図１に示す空気清浄機の実証機使用後フイルターを示す。
【図７】図１に示す空気清浄機の実証機サンプル水採取容器を示す。
【手続補正１４】
【補正対象書類名】明細書
【補正対象項目名】００２２
【補正方法】変更
【補正の内容】
【００２２】
本発明の実施形態に係る空気清浄機は多種な形態、形状に対応が出来ると共に小型の空気清浄機に好ましく用いることが出来る。
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】変更
【補正の内容】
【００３１】
図１は本発明の実施形態に係る空気清浄機を示す基本組立図である。図１に於いて、１０１は水の貯留部、１０２はフイルター、１０３は給水部品、１０４はフアン、１０５は補給水タンク、１０６は貯留槽、Ｗは水、ＡIは入空気、ＡOは出空気である。補給水タンクより重力で水をフイルター全面に供給しフアンで空気を吸い込み空気清浄の実証実験を行えると同時に加湿機能の実証実験が行える空気清浄機を示す実験機の組立図である。
【手続補正２４】
【補正対象書類名】明細書
【補正対象項目名】００３２
【補正方法】削除
【補正の内容】
【手続補正２５】
【補正対象書類名】明細書
【補正対象項目名】００３５
【補正方法】変更
【補正の内容】
【００３５】
図２に於いて本発明の実施形態に係る空気清浄機は、側面に空気取り入れ部３０２が設けられている筒状の本体３０１と、本体３０１の内部に設置された筒状のフイルター３１１を装着する内筒３０３と、内筒３０３の上端に位置する座板３１４上に設置され本体３０１の空気取り入れ部３０２からの空気AIがフイルター３１１の内側を経て本体３０１の外側に空気AOを排出するフアン３１０と、本体３０１の上部に設置されていて本体３０１内に取り入れた空気AOを一定方向に排出するトップフード３０４と、を備えている。フイルター３１１への水Wの供給には、トップフード３０４の頭頂部に給水容器４０１を設置しトップフード３０４内部に設けられた配管３０６で給水容器４０１内の水Wをフイルター３１１に滴下供給する。フイルター３１１内で飽和状態になった水Wはフイルター３１１を経て本体３０１の下部に設けられている水の貯留部３１２に流下する。トップフード３０４より排風する空気AOの出口には流れを安定させるスタビライザー３１６が取り付けてある。水の貯留部３１２の下方にターンテーブル３１０を設けてトップフード３０４から排風する空気AOの方向をターンテーブル３１０で風の向きを変えることが出来る。又はターンテーブル３１０を設けないで使用する事も出来る。又トップフード３０４のドーム形状を平板にすることも出来る。又平板にすることにより給水容器４０１を設置するボス３０５を偏心させても良い。
【手続補正２６】
【補正対象書類名】明細書
【補正対象項目名】００３６
【補正方法】変更
【補正の内容】
【００３６】
図２、図３に於いて本発明の実施形態に係る空気清浄機内のフイルター３１１への水Wの給水には、密封型の給水容器４０１からの水Wがトップフード３０４内に設けられた配管３０６で座板３１４の通水孔３１３に導かれてフイルター３１１上端に滴下し、フイルター３１１へ供給される。密閉型の給水容器４０１のキャップ４０２はねじ込み式になっている。給水ノズル４０３はパイプでその中心に水Wを滴下させる役を果たす芯金４０４が通して有り、水Wは芯金を伝わって給水ノズル４０３の先端から滴下する。給水ノズル４０３はパイプで半割になっていて、半割パイプは芯金の先より滴下した水Wの分量の空気が水Wの表面張力に打ち勝って密封型の給水容器に空気が入る構造に成っている。多孔板、金網等の内筒３０３とフイルター３１１との間には隙間３１５が有り、内筒３０３の開口率に関わらず空気AOが水の貯留部３１２から露出したフイルター３１１の全面積を通過する様になっている。フアン３１０の電源は１００V電源ケーブル及び１２Vアダプター電源ケーブル又は５VUSB電源ケーブルを使用する。電通管３０７内に電源ケーブル３０９を通してフアン３１０とDCジャックで結線する。電源と空気清浄機の間に電圧制御器を設け回転数を変化させることにより風量と静圧を変えることが出来る。
【手続補正２７】
【補正対象書類名】明細書
【補正対象項目名】００３７
【補正方法】変更
【補正の内容】
【００３７】
図２に於いて本発明の実施形態に係る空気清浄機の空気取り入れ部３０２は開口率の大きい多孔板になっていてその孔よりフイルター３１１の汚れの状態を外側より目視、確認が出来る構造に成っている。又使用材質は貯留部３１２、空気取り入れ部３０２、内筒３０３、トップフード３０４等の接液部はステンレス鋼、アルミニウム、青銅、成形プラスチック等の材質の組み合わせが出来る。
【手続補正２８】
【補正対象書類名】明細書
【補正対象項目名】００３８
【補正方法】変更
【補正の内容】
【００３８】
次に本発明の実施例について説明する。図４は実証実験用の空気清浄機の実証機を示す。フイルター５０１は実証実験前の状態で、実証機はフイルター５０１を装着する内筒が設けて有り内筒の上部にフアンが設置されていて内筒の上方にはトップフード５０３設けられている。フイルター５０１を装着する内筒の下部に仮設の水の貯留部５０２を設けて水を溜めて液封部を作りフアンによって発生するフイルター５０１の内側と外側の圧力差を仮設の水の貯留部５０２の水で液封する事で空気の全量がフイルター５０１を通過し、空気を清浄、加湿し、トップフード５０３の外部に排風する。フイルター５０１へ水を供給するには、トップフード５０３の頭頂部に給水容器５０４を設置しトップフード５０３内部に設けられた配管で給水容器５０４内の水をフイルター５０１に滴下供給する。フイルター５０１内で飽和状態になった水は毛管現象でフイルター５０１を経て仮設の水の貯留部５０２に流下する。
【手続補正２９】
【補正対象書類名】明細書
【補正対象項目名】００３９
【補正方法】変更
【補正の内容】
【００３９】
図５は本発明の空気清浄機の実証機の外観図を示す。
【手続補正３０】
【補正対象書類名】明細書
【補正対象項目名】００４０
【補正方法】変更
【補正の内容】
【００４０】
本発明の実施形態に係る空気清浄機の実証機に於いて図６は約２０日間の実証実験後のフイルター５０５に付着した埃、微粒子の汚れの状態を示す。
【手続補正３１】
【補正対象書類名】明細書
【補正対象項目名】００４１
【補正方法】変更
【補正の内容】
【００４１】
本発明の実施形態に係る空気清浄機に於いて図７は実証実験前の澄んだ水の容器５０６であり、容器５０７内の水は実証実験後フイルター５０５に付着した埃、微粒子を洗い落して採取した水の汚れ状態を示す。容器５０７内の水は採取した粒度の大きい埃、微粒子は沈降し容器底に沈殿している。水中には沈降しない極微粒子が浮遊して居りコロイド状態になっている。
【手続補正３２】
【補正対象書類名】明細書
【補正対象項目名】００４２
【補正方法】変更
【補正の内容】
【００４２】
本発明の実施するための形態に係る空気清浄機は加湿機能が有り、実験機にて加湿実証実験を行った。第１の実証実験は図１に示す空気清浄実験機でフイルターの素材は不織布を使用した。加湿機能データーは表１に示す。
【手続補正３３】
【補正対象書類名】明細書
【補正対象項目名】００４３
【補正方法】変更
【補正の内容】
【００４３】
【表１】
2019002640.tif 000028
【手続補正３４】
【補正対象書類名】明細書
【補正対象項目名】００４５
【補正方法】削除
【補正の内容】
【手続補正３５】
【補正対象書類名】明細書
【補正対象項目名】００４６
【補正方法】削除
【補正の内容】
【手続補正３６】
【補正対象書類名】明細書
【補正対象項目名】００４７
【補正方法】削除
【補正の内容】
【手続補正３７】
【補正対象書類名】明細書
【補正対象項目名】００４８
【補正方法】変更
【補正の内容】
【００４８】
本発明の実施するための形態に係る空気清浄機は加湿機能が有り、実験機にて加湿実証実験を行った。第２の実証実験は図１に示す空気清浄実験機でフイルターの素材は編み目が密のタオル地を使用した。加湿機能データーは表２に示す。
【手続補正３８】
【補正対象書類名】明細書
【補正対象項目名】００４９
【補正方法】変更
【補正の内容】
【００４９】
【表２】
2019002640.tif 000029
【手続補正３９】
【補正対象書類名】明細書
【補正対象項目名】００５１
【補正方法】変更
【補正の内容】
【００５１】
本発明の実施するための形態に係る空気清浄機は加湿機能が有り、実験機にて加湿実証実験を行った。第３の実証実験は図１に示す空気清浄実験機でフイルター布の素材は編み目が粗いタオル地を使用した。加湿機能データーは表３示す。
【手続補正４０】
【補正対象書類名】明細書
【補正対象項目名】００５２
【補正方法】変更
【補正の内容】
【００５２】
【表３】
2019002640.tif 000030
【手続補正４１】
【補正対象書類名】明細書
【補正対象項目名】００５４
【補正方法】変更
【補正の内容】
【００５４】
本発明の実施するための形態に係る空気清浄機は加湿機能が有り、実験機に加湿実証実験を行った。第４の実証実験は図１に示す空気清浄実験機でフイルターの素材は綿サラシを使用した。加湿機能データーは表４に示す。
【手続補正４２】
【補正対象書類名】明細書
【補正対象項目名】００５５
【補正方法】変更
【補正の内容】
【００５５】
【表４】
2019002640.tif 000031
【手続補正４３】
【補正対象書類名】明細書
【補正対象項目名】００５７
【補正方法】変更
【補正の内容】
【００５７】
本発明の実施するための形態に係る空気清浄機は加湿機能が有り実験機にて加湿実証実験を行った。第５の実証実験は図１に示す空気清浄実験機でフイルターの素材は編み目が密のタオル地を使用した。加湿機能データーは表５に示す。
【手続補正４４】
【補正対象書類名】明細書
【補正対象項目名】００５８
【補正方法】変更
【補正の内容】
【００５８】
【表５】
2019002640.tif 000032
【手続補正４５】
【補正対象書類名】明細書
【補正対象項目名】００６０
【補正方法】変更
【補正の内容】
【００６０】
本発明の実施するための形態に係る空気清浄機は加湿効果が有り実験機にて加湿実証実験を行った。第６の実証実験は図１に示す空気清浄実験機でフイルターの素材は編み目が粗いタオル地を使用した。加湿機能データーは表６に示す。
【手続補正４６】
【補正対象書類名】明細書
【補正対象項目名】００６１
【補正方法】変更
【補正の内容】
【００６１】
【表６】
2019002640.tif 000033
【手続補正４７】
【補正対象書類名】明細書
【補正対象項目名】００６３
【補正方法】変更
【補正の内容】
【００６３】
本発明の実施するための形態に係る空気清浄機は加湿機能が有り実験機にて加湿実証実験を行った。第７の実証実験は図１に示す空気清浄実験機でフイルターの素材は綿サラシを使用した。加湿機能データーは表７に示す。
【手続補正４８】
【補正対象書類名】明細書
【補正対象項目名】００６４
【補正方法】変更
【補正の内容】
【００６４】
【表７】
2019002640.tif 000034
【手続補正４９】
【補正対象書類名】明細書
【補正対象項目名】００６６
【補正方法】変更
【補正の内容】
【００６６】
１０１  水の貯留部
１０２  フイルター
１０３  給水部品
１０４  フアン
１０５  補給水タンク
１０６  貯留槽
２０１  水の貯留部
３０１  貯留部
３０２  空気取り入れ部
３０３  内筒
３０４  トップフード
３０５  ボス
３０６  給水配管
３０７  電通管
３０８  液面計
３０９  アダプターケーブル
３１０  フアン
３１１  フイルター
３１２  水の貯留部
３１３  通水孔
３１４  座板
３１５  隙間
３１６  スタビライザー
４０１  給水容器
４０２  キャップ
４０３  給水ノズル
４０４  芯金
５０１  実証実験前のフイルター
５０２  水の仮貯留部
５０３  実証実験機トップフード
５０４  実証実験機給水容器
５０５  実証実験後の微粒子が付着したフイルター
５０６  実証実験前の水の容器
５０７  実証実験で微粒子を採取後のコロイド状サンプル水
AI      入り空気  
AO    出空気            
W 水
【手続補正５０】
【補正対象書類名】図面
【補正対象項目名】全図
【補正方法】変更
【補正の内容】
【図１】
2019002640.tif 000035
【図２】
2019002640.tif 000036
【図３】
2019002640.tif 000037
【図４】
2019002640.tif 000038
【図５】
2019002640.tif 000039
【図６】
2019002640.tif 000040
【図７】
2019002640.tif 000041